(57)【要約】【課題】中間電線の影響を排除すること。【解決手段】第１電気接続構造２０は、第１回路接続部材１２及び第２回路接続部材１３が接続されたノイズ低減素子１１、第１電線ＷＥ１の中間接続部ＷＥａ１及び第２電線ＷＥ２の中間接続部ＷＥａ２と共に一列に並べて配置され、かつ、これらの配列方向に沿って第１電線の中間接続部に対して間接的又は直接的に電気接続される第１回路接続部材の接点２１と、その接点に向けて第１押圧力で第１電線の中間接続部を間接的又は直接的に押し付ける第１押圧体２２と、を備え、第２電気接続構造３０は、ノイズ低減素子及び各中間接続部と共に一列に並べて配置され、かつ、これらの配列方向に沿って第２電線の中間接続部に対して間接的又は直接的に電気接続される第２回路接続部材の接点３１と、その接点に向けて第２押圧力で第２電線の中間接続部を間接的又は直接的に押し付ける第２押圧体３２と、を備えること。【選択図】図３
2020061638.tif 000002
【特許請求の範囲】
【請求項１】
第１電線及び第２電線のそれぞれの芯線の中間接続部の間に配置され且つノイズ成分を低減させるノイズ低減素子、前記ノイズ低減素子の第１接続部が電気的に接続された導電性の第１回路接続部材並びに前記ノイズ低減素子の第２接続部が電気的に接続された導電性の第２回路接続部材を備えるフィルタ回路と、
前記第１電線の前記芯線の前記中間接続部を前記第１回路接続部材に対して間接的又は直接的に電気接続させる第１電気接続構造と、
一方の端部が接地されている前記第２電線の前記芯線の前記中間接続部を前記第２回路接続部材に対して間接的又は直接的に電気接続させる第２電気接続構造と、
前記フィルタ回路、前記第１電気接続構造及び前記第２電気接続構造を収容する筐体と、
を備え、
前記第１電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第１電線の前記芯線の前記中間接続部に対して間接的又は直接的に電気接続される前記第１回路接続部材の接点と、前記第１回路接続部材の前記接点に向けて第１押圧力で前記第１電線の前記芯線の前記中間接続部を間接的又は直接的に押し付ける第１押圧体と、を備え、
前記第２電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第２電線の前記芯線の前記中間接続部に対して間接的又は直接的に電気接続される前記第２回路接続部材の接点と、前記第２回路接続部材の前記接点に向けて第２押圧力で前記第２電線の前記芯線の前記中間接続部を間接的又は直接的に押し付ける第２押圧体と、を備えることを特徴としたノイズフィルタ。
【請求項２】
前記筐体は、前記第１電線の前記芯線の前記中間接続部及び前記第２電線の前記芯線の前記中間接続部が開口から収容室に収容される収容箱と、前記収容箱の前記開口を塞ぐカバーと、を備え、
前記カバーは、前記収容室側に前記第１押圧体と前記第２押圧体とを備えることを特徴とした請求項１に記載のノイズフィルタ。
【請求項３】
前記カバーは、前記収容箱の前記開口を塞ぎ、かつ、前記第１押圧体と前記第２押圧体を内壁面から前記収容室側に突出させる閉塞壁体を有し、
前記第１押圧体は、前記収容箱に対する前記カバーの組付け方向に向かうほど前記ノイズ低減素子に近づき、かつ、前記カバーと前記収容箱とが組付け完了状態のときに前記第１電線の前記芯線の前記中間接続部に対して間接的又は直接的に前記第１押圧力を作用させる傾斜面を有し、
前記第２押圧体は、前記収容箱に対する前記カバーの組付け方向に向かうほど前記ノイズ低減素子に近づき、かつ、前記カバーと前記収容箱とが組付け完了状態のときに前記第２電線の前記芯線の前記中間接続部に対して間接的又は直接的に前記第２押圧力を作用させる傾斜面を有することを特徴とした請求項２に記載のノイズフィルタ。
【請求項４】
前記第１回路接続部材の前記接点と前記第２回路接続部材の前記接点は、各々、弾性を有することを特徴とした請求項１，２又は３に記載のノイズフィルタ。
【請求項５】
前記第１電気接続構造は、前記第１電線の前記芯線の前記中間接続部に対して物理的且つ電気的に接続されると共に、前記第１押圧体の前記第１押圧力で前記第１回路接続部材の前記接点に押し付けられる第１電線側接続体を備え、
前記第２電気接続構造は、前記第２電線の前記芯線の前記中間接続部に対して物理的且つ電気的に接続されると共に、前記第２押圧体の前記第２押圧力で前記第２回路接続部材の前記接点に押し付けられる第２電線側接続体を備えることを特徴とした請求項１から４の内の何れか１つに記載のノイズフィルタ。
【請求項６】
第１電線及び第２電線を含む幹線と、
ノイズ成分を低減させるノイズフィルタと、
を備え、
前記ノイズフィルタは、
前記第１電線及び前記第２電線のそれぞれの芯線の中間接続部の間に配置され且つノイズ成分を低減させるノイズ低減素子、前記ノイズ低減素子の第１接続部が電気的に接続された導電性の第１回路接続部材並びに前記ノイズ低減素子の第２接続部が電気的に接続された導電性の第２回路接続部材を備えるフィルタ回路と、
前記第１電線の前記芯線の前記中間接続部を前記第１回路接続部材に対して間接的又は直接的に電気接続させる第１電気接続構造と、
一方の端部が接地されている前記第２電線の前記芯線の前記中間接続部を前記第２回路接続部材に対して間接的又は直接的に電気接続させる第２電気接続構造と、
前記フィルタ回路、前記第１電気接続構造及び前記第２電気接続構造を収容する筐体と、
を備え、
前記第１電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第１電線の前記芯線の前記中間接続部に対して間接的又は直接的に電気接続される前記第１回路接続部材の接点と、前記第１回路接続部材の前記接点に向けて第１押圧力で前記第１電線の前記芯線の前記中間接続部を間接的又は直接的に押し付ける第１押圧体と、を備え、
前記第２電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第２電線の前記芯線の前記中間接続部に対して間接的又は直接的に電気接続される前記第２回路接続部材の接点と、前記第２回路接続部材の前記接点に向けて第２押圧力で前記第２電線の前記芯線の前記中間接続部を間接的又は直接的に押し付ける第２押圧体と、を備えることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、従来のノイズフィルタは、ノイズ低減対象電線とフィルタ回路との間を別の中間電線で繋いでいる。例えば、上記特許文献１のノイズフィルタは、幹線のノイズ低減対象電線から分岐させた２本の分岐電線に対してフィルタ回路を電気的に接続して、そのノイズ低減対象電線に乗っているノイズ成分を低減させている。このため、従来のノイズフィルタは、その分岐電線などのような中間電線に乗ってしまうノイズ成分をも考慮に入れて、フィルタ回路特性（共振点やノイズ低減性能等）の調整を行う必要がある。
【０００５】
そこで、本発明は、中間電線の影響を受けることのないノイズフィルタ及びワイヤハーネスを提供することを、その目的とする。
【課題を解決するための手段】
【０００６】
上記目的を達成する為、本発明に係るノイズフィルタは、第１電線及び第２電線のそれぞれの芯線の中間接続部の間に配置され且つノイズ成分を低減させるノイズ低減素子、前記ノイズ低減素子の第１接続部が電気的に接続された導電性の第１回路接続部材並びに前記ノイズ低減素子の第２接続部が電気的に接続された導電性の第２回路接続部材を備えるフィルタ回路と、前記第１電線の前記芯線の前記中間接続部を前記第１回路接続部材に対して間接的又は直接的に電気接続させる第１電気接続構造と、一方の端部が接地されている前記第２電線の前記芯線の前記中間接続部を前記第２回路接続部材に対して間接的又は直接的に電気接続させる第２電気接続構造と、前記フィルタ回路、前記第１電気接続構造及び前記第２電気接続構造を収容する筐体と、を備える。そして、このノイズフィルタにおいて、前記第１電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第１電線の前記芯線の前記中間接続部に対して間接的又は直接的に電気接続される前記第１回路接続部材の接点と、前記第１回路接続部材の前記接点に向けて第１押圧力で前記第１電線の前記芯線の前記中間接続部を間接的又は直接的に押し付ける第１押圧体と、を備え、前記第２電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第２電線の前記芯線の前記中間接続部に対して間接的又は直接的に電気接続される前記第２回路接続部材の接点と、前記第２回路接続部材の前記接点に向けて第２押圧力で前記第２電線の前記芯線の前記中間接続部を間接的又は直接的に押し付ける第２押圧体と、を備えることを特徴としている。
【０００７】
ここで、前記筐体は、前記第１電線の前記芯線の前記中間接続部及び前記第２電線の前記芯線の前記中間接続部が開口から収容室に収容される収容箱と、前記収容箱の前記開口を塞ぐカバーと、を備え、前記カバーは、前記収容室側に前記第１押圧体と前記第２押圧体とを備えることが望ましい。
【０００８】
また、前記カバーは、前記収容箱の前記開口を塞ぎ、かつ、前記第１押圧体と前記第２押圧体を内壁面から前記収容室側に突出させる閉塞壁体を有し、前記第１押圧体は、前記収容箱に対する前記カバーの組付け方向に向かうほど前記ノイズ低減素子に近づき、かつ、前記カバーと前記収容箱とが組付け完了状態のときに前記第１電線の前記芯線の前記中間接続部に対して間接的又は直接的に前記第１押圧力を作用させる傾斜面を有し、前記第２押圧体は、前記収容箱に対する前記カバーの組付け方向に向かうほど前記ノイズ低減素子に近づき、かつ、前記カバーと前記収容箱とが組付け完了状態のときに前記第２電線の前記芯線の前記中間接続部に対して間接的又は直接的に前記第２押圧力を作用させる傾斜面を有することが望ましい。
【０００９】
また、前記第１回路接続部材の前記接点と前記第２回路接続部材の前記接点は、各々、弾性を有することが望ましい。
【００１０】
また、前記第１電気接続構造は、前記第１電線の前記芯線の前記中間接続部に対して物理的且つ電気的に接続されると共に、前記第１押圧体の前記第１押圧力で前記第１回路接続部材の前記接点に押し付けられる第１電線側接続体を備え、前記第２電気接続構造は、前記第２電線の前記芯線の前記中間接続部に対して物理的且つ電気的に接続されると共に、前記第２押圧体の前記第２押圧力で前記第２回路接続部材の前記接点に押し付けられる第２電線側接続体を備えることが望ましい。
【００１１】
また、上記目的を達成する為、本発明に係るワイヤハーネスは、第１電線及び第２電線を含む幹線と、ノイズ成分を低減させるノイズフィルタと、を備える。そして、前記ノイズフィルタは、前記第１電線及び前記第２電線のそれぞれの芯線の中間接続部の間に配置され且つノイズ成分を低減させるノイズ低減素子、前記ノイズ低減素子の第１接続部が電気的に接続された導電性の第１回路接続部材並びに前記ノイズ低減素子の第２接続部が電気的に接続された導電性の第２回路接続部材を備えるフィルタ回路と、前記第１電線の前記芯線の前記中間接続部を前記第１回路接続部材に対して間接的又は直接的に電気接続させる第１電気接続構造と、一方の端部が接地されている前記第２電線の前記芯線の前記中間接続部を前記第２回路接続部材に対して間接的又は直接的に電気接続させる第２電気接続構造と、前記フィルタ回路、前記第１電気接続構造及び前記第２電気接続構造を収容する筐体と、を備える。このワイヤハーネスにおいて、前記第１電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第１電線の前記芯線の前記中間接続部に対して間接的又は直接的に電気接続される前記第１回路接続部材の接点と、前記第１回路接続部材の前記接点に向けて第１押圧力で前記第１電線の前記芯線の前記中間接続部を間接的又は直接的に押し付ける第１押圧体と、を備え、前記第２電気接続構造は、前記ノイズ低減素子、前記第１電線の前記芯線の前記中間接続部及び前記第２電線の前記芯線の前記中間接続部と共に一列に並べて配置され、かつ、これらの配列方向に沿って前記第２電線の前記芯線の前記中間接続部に対して間接的又は直接的に電気接続される前記第２回路接続部材の接点と、前記第２回路接続部材の前記接点に向けて第２押圧力で前記第２電線の前記芯線の前記中間接続部を間接的又は直接的に押し付ける第２押圧体と、を備えることを特徴としている。
【発明の効果】
【００１２】
本発明に係るノイズフィルタにおいては、第１電線の中間接続部と第２電線の中間接続部とフィルタ回路のノイズ低減素子とフィルタ回路の第１回路接続部材の接点とフィルタ回路の第２回路接続部材の接点とを一列に並べて配置し、それぞれの中間接続部の間にノイズ低減素子を介在させて、第１回路接続部材を介してノイズ低減素子と第１電線の中間接続部とを電気的に接続させると共に、第２回路接続部材を介してノイズ低減素子と第２電線の中間接続部とを電気的に接続させる。例えば、その第１電線と第２電線は、ワイヤハーネスの幹線に束ねられている。よって、このノイズフィルタは、従来のような幹線からの分岐電線（中間電線）の影響を考慮に入れたフィルタ回路特性の調整が不要になる。つまり、本発明に係るノイズフィルタは、中間電線の影響を受けることのないものとなっている。更に、本発明に係るノイズフィルタは、ノイズ低減素子と第１回路接続部材の接点と第２回路接続部材の接点と第１電線の中間接続部と第２電線の中間接続部とを一列に並べて配置しているので、その配列方向とそれぞれの中間接続部の軸線方向とに対する直交方向の体格の小型化を図ることができる。また、本発明に係るワイヤハーネスは、そのようなノイズフィルタを具備するものであり、このノイズフィルタが得られる効果を奏することができる。
【図面の簡単な説明】
【００１３】
【図１】図１は、実施形態のノイズフィルタ及びワイヤハーネスを示す斜視図である。
【図２】図２は、実施形態のノイズフィルタ及びワイヤハーネスを示す分解斜視図である。
【図３】図３は、実施形態のノイズフィルタ及びワイヤハーネスを別角度から見た分解斜視図である。
【図４】図４は、フィルタ回路を示す斜視図である。
【図５】図５は、フィルタ回路を別角度から見た斜視図である。
【図６】図６は、図１のＸ−Ｘ線断面図である。
【図７】図７は、フィルタ回路の変形形態を示す斜視図である。
【図８】図８は、フィルタ回路の変形形態を別角度から見た斜視図である。
【発明を実施するための形態】
【００１４】
以下に、本発明に係るノイズフィルタ及びワイヤハーネスの実施形態を図面に基づいて詳細に説明する。尚、この実施形態によりこの発明が限定されるものではない。
【００１５】
［実施形態］
本発明に係るノイズフィルタ及びワイヤハーネスの実施形態の１つを図１から図８に基づいて説明する。
【００１６】
図１から図３の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１を電源線として利用し、第２電線ＷＥ２をアース線として利用する。第１電線ＷＥ１は、一方の端部が電源（例えば、車両の二次電池）に対して電気的に接続され、他方の端部が負荷に対して電気的に接続されている。また、第２電線ＷＥ２は、一方の端部が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１７】
ノイズフィルタ１は、ノイズ成分を低減させるフィルタ回路１０を備えるノイズ低減装置であり（図１から図３）、例えば、第１電線ＷＥ１に乗った電気的なノイズ成分をフィルタ回路１０で低減させる。
【００１８】
フィルタ回路１０は、第１電線ＷＥ１の中間部分に位置している芯線ＷＥａの一部分と第２電線ＷＥ２の中間部分に位置している芯線ＷＥａの一部分との間に介在させ、それぞれの芯線ＷＥａに対して電気的に接続させる。以下においては、その第１電線ＷＥ１の中間部分に位置している芯線ＷＥａの一部分を「中間接続部ＷＥａ１」と称し、かつ、第２電線ＷＥ２の中間部分に位置している芯線ＷＥａの一部分を「中間接続部ＷＥａ２」と称する。また、以下においては、その第１電線ＷＥ１の芯線ＷＥａの中間接続部ＷＥａ１のことを「第１電線ＷＥ１の中間接続部ＷＥａ１」と簡略化し、かつ、その第２電線ＷＥ２の芯線ＷＥａの中間接続部ＷＥａ２のことを「第２電線ＷＥ２の中間接続部ＷＥａ２」と簡略化する。
【００１９】
このフィルタ回路１０は、その第１電線ＷＥ１の中間接続部ＷＥａ１と第２電線ＷＥ２の中間接続部ＷＥａ２との間に介在させ、それぞれの中間接続部ＷＥａ１，ＷＥａ２に対して電気的に接続させる（図１）。
【００２０】
フィルタ回路１０は、ノイズ成分を低減させる少なくとも１つのノイズ低減素子１１と、このノイズ低減素子１１の第１接続部（以下、「第１素子接続部」という。）が電気的に接続された導電性の第１接続部材（以下、「第１回路接続部材」という。）１２と、そのノイズ低減素子１１の第２接続部（以下、「第２素子接続部」という。）が電気的に接続された導電性の第２接続部材（以下、「第２回路接続部材」という。）１３と、を備える（図１から図６）。尚、第１素子接続部と第２素子接続部については、図示を省略している。
【００２１】
ノイズ低減素子１１は、このノイズフィルタ１の回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図１から図５）。ノイズ低減素子１１は、第１電線ＷＥ１と第２電線ＷＥ２のそれぞれの中間接続部ＷＥａ１，ＷＥａ２の間に配置する。この例示の２つのノイズ低減素子１１は、第１電線ＷＥ１と第２電線ＷＥ２のそれぞれの中間接続部ＷＥａ１，ＷＥａ２の間にて、第１電線ＷＥ１と第２電線ＷＥ２のそれぞれの軸線方向に並べて配置している。
【００２２】
第１回路接続部材１２と第２回路接続部材１３は、ノイズ低減素子１１を介して互いを電気的に接続させる導電部材である。この例示の第１回路接続部材１２と第２回路接続部材１３は、各々、金属等の導電性材料で板状のバスバとして成形されている。
【００２３】
第１回路接続部材１２と第２回路接続部材１３は、各々、平板状の第１壁体１２ａ，１３ａと、平板状の第２壁体１２ｂ，１３ｂと、を有する（図２から図６）。第１回路接続部材１２は、第１壁体１２ａと第２壁体１２ｂとを直交配置させたＬ字状に成形されている。また、第２回路接続部材１３は、第１壁体１３ａと第２壁体１３ｂとを直交配置させたＬ字状に成形されている。このフィルタ回路１０においては、それぞれの第１壁体１２ａ，１３ａが同一平面上に配置され、かつ、それぞれの第２壁体１２ｂ，１３ｂの平面同士が対向配置されるように、第１回路接続部材１２と第２回路接続部材１３とを並べて配置している。
【００２４】
このフィルタ回路１０においては、第１回路接続部材１２の第１壁体１２ａに対してノイズ低減素子１１の第１素子接続部を物理的且つ電気的に接続すると共に、第２回路接続部材１３の第１壁体１３ａに対してノイズ低減素子１１の第２素子接続部を物理的且つ電気的に接続する。その接続形態としては、ノイズ低減素子１１の第１素子接続部や第２素子接続部の形態に応じて、例えば溶着や半田付け等が適用される。このフィルタ回路１０においては、そのようなノイズ低減素子１１と第１及び第２の回路接続部材１２，１３の接続によって、それぞれの第２壁体１２ｂ，１３ｂの間にノイズ低減素子１１を配置する。つまり、このフィルタ回路１０においては、ノイズ低減素子１１と第１回路接続部材１２の第２壁体１２ｂと第２回路接続部材１３の第２壁体１３ｂとを一列に並べて配置する。ノイズフィルタ１においては、これらのノイズ低減素子１１とそれぞれの第２壁体１２ｂ，１３ｂの配列方向に対する直交方向が軸線方向となるように、第１電線ＷＥ１と第２電線ＷＥ２とを配置する。その第１電線ＷＥ１と第２電線ＷＥ２は、後述する筐体４０の収容室４０ａに並列配置状態で収容して、その収容室４０ａの中で併走させる。
【００２５】
この例示のフィルタ回路１０においては、２つのノイズ低減素子１１が絶縁性のモールド体１４で覆われている（図１から図６）。そのモールド体１４は、２つのノイズ低減素子１１と第１回路接続部材１２の第１壁体１２ａと第２回路接続部材１３の第１壁体１３ａとの間に注入したモールド剤の固化物であり、２つのノイズ低減素子１１と第１壁体１２ａとの接続部分及び２つのノイズ低減素子１１と第１壁体１３ａとの接続部分についても覆っている。
【００２６】
一方、このフィルタ回路１０においては、第１回路接続部材１２の第２壁体１２ｂに対して第１電線ＷＥ１の中間接続部ＷＥａ１を間接的又は直接的に電気接続させると共に、第２回路接続部材１３の第２壁体１３ｂに対して第２電線ＷＥ２の中間接続部ＷＥａ２を間接的又は直接的に電気接続させる。そこで、このノイズフィルタ１は、第１電線ＷＥ１の中間接続部ＷＥａ１を第１回路接続部材１２の第２壁体１２ｂに対して間接的又は直接的に電気接続させる第１電気接続構造２０と、第２電線ＷＥ２の中間接続部ＷＥａ２を第２回路接続部材１３の第２壁体１３ｂに対して間接的又は直接的に電気接続させる第２電気接続構造３０と、を備える（図１から図３及び図６）。
【００２７】
このノイズフィルタ１においては、ノイズ低減素子１１と第１回路接続部材１２の第２壁体１２ｂと第２回路接続部材１３の第２壁体１３ｂと第１電線ＷＥ１の中間接続部ＷＥａ１と第２電線ＷＥ２の中間接続部ＷＥａ２とを一列に並べて配置し、これらの配列方向に沿って、第２壁体１２ｂと中間接続部ＷＥａ１との間及び第２壁体１３ｂと中間接続部ＷＥａ２との間を各々間接的又は直接的に電気接続させる。
【００２８】
第１電気接続構造２０は、ノイズ低減素子１１と第２壁体１２ｂとの間に配置した中間接続部ＷＥａ１を第２壁体１２ｂに対して間接的又は直接的に電気接続させるものであってもよく、第２壁体１２ｂに対するノイズ低減素子１１とは逆側に配置した中間接続部ＷＥａ１を第２壁体１２ｂに対して間接的又は直接的に電気接続させるものであってもよい。ここでは、前者を例示する。
【００２９】
第１回路接続部材１２の第２壁体１２ｂには、中間接続部ＷＥａ１を間接的又は直接的に電気接続させる接点１２ｃが設けられている（図１から図６）。その接点１２ｃには、弾性を持たせる。そこで、この例示では、平行な２本の貫通孔１２ｂ１を第２壁体１２ｂに形成し、それぞれの貫通孔１２ｂ１に挟まれた部位が第１壁体１２ａ側にプレス成形等で押し出されている（図４から図６）。第２壁体１２ｂにおいては、その押し出された部分が弾性を有する両持ちの接点１２ｃとなる。その接点１２ｃは、第１電線ＷＥ１の中間接続部ＷＥａ１が間接的又は直接的に当接する当接面１２ｃ１を有している（図４及び図６）。この例示の接点１２ｃには、矩形の当接面１２ｃ１が形成されている。また、接点１２ｃは、第１電線ＷＥ１の中間接続部ＷＥａ１が間接的又は直接的に係止される係止部１２ｃ２を有するものであってもよい（図７）。その係止部１２ｃ２においては、例えば、中間接続部ＷＥａ１の外周面の一部又は後述する第１電線側接続体２３の外周面の一部が入り込んで係止される。この係止部１２ｃ２は、例えば、中間接続部ＷＥａ１の外周面の一部又は第１電線側接続体２３の外周面の一部が入り込む溝の周縁部又は貫通孔の周縁部であり、当接面１２ｃ１に形成する。
【００３０】
この接点１２ｃは、第１電気接続構造２０の構成要素の１つであり、中間接続部ＷＥａ１に対する接点２１として利用される。つまり、第１電気接続構造２０は、ノイズ低減素子１１、第１電線ＷＥ１の中間接続部ＷＥａ１及び第２電線ＷＥ２の中間接続部ＷＥａ２と共に一列に並べて配置され、かつ、これらの配列方向に沿って第１電線ＷＥ１の中間接続部ＷＥａ１に対して間接的又は直接的に電気接続される第１回路接続部材１２の接点２１（１２ｃ）を備えている。
【００３１】
この第１電気接続構造２０は、その中間接続部ＷＥａ１と接点２１（１２ｃ）の電気的な接続状態を保たせるべく、その接点２１（１２ｃ）に向けて第１押圧力で第１電線ＷＥ１の中間接続部ＷＥａ１を間接的又は直接的に押し付ける第１押圧体２２を備えている（図１及び図３）。この例示では、後述するように、筐体４０に第１押圧体２２を設けている。よって、この第１押圧体２２については、後で詳述する。
【００３２】
また、第２電気接続構造３０は、ノイズ低減素子１１と第２壁体１３ｂとの間に配置した中間接続部ＷＥａ２を第２壁体１３ｂに対して間接的又は直接的に電気接続させるものであってもよく、第２壁体１３ｂに対するノイズ低減素子１１とは逆側に配置した中間接続部ＷＥａ２を第２壁体１３ｂに対して間接的又は直接的に電気接続させるものであってもよい。ここでは、前者を例示する。
【００３３】
第２回路接続部材１３の第２壁体１３ｂには、中間接続部ＷＥａ２を間接的又は直接的に電気接続させる接点１３ｃが設けられている（図１から図３）。その接点１３ｃには、弾性を持たせる。そこで、この例示では、平行な２本の貫通孔１３ｂ１を第２壁体１３ｂに形成し、それぞれの貫通孔１３ｂ１に挟まれた部位が第１壁体１３ａ側にプレス成形等で押し出されている（図４から図６）。第２壁体１３ｂにおいては、その押し出された部分が弾性を有する両持ちの接点１３ｃとなる。その接点１３ｃは、第２電線ＷＥ２の中間接続部ＷＥａ２が間接的又は直接的に当接する当接面１３ｃ１を有している（図５及び図６）。この例示の接点１３ｃには、矩形の当接面１３ｃ１が形成されている。また、接点１３ｃは、第２電線ＷＥ２の中間接続部ＷＥａ２が間接的又は直接的に係止される係止部１３ｃ２を有するものであってもよい（図８）。その係止部１３ｃ２においては、例えば、中間接続部ＷＥａ２の外周面の一部又は後述する第２電線側接続体３３の外周面の一部が入り込んで係止される。この係止部１３ｃ２は、例えば、中間接続部ＷＥａ２の外周面の一部又は第２電線側接続体３３の外周面の一部が入り込む溝の周縁部又は貫通孔の周縁部であり、当接面１３ｃ１に形成する。
【００３４】
この接点１３ｃは、第２電気接続構造３０の構成要素の１つであり、中間接続部ＷＥａ２に対する接点３１として利用される。つまり、第２電気接続構造３０は、ノイズ低減素子１１、第１電線ＷＥ１の中間接続部ＷＥａ１及び第２電線ＷＥ２の中間接続部ＷＥａ２と共に一列に並べて配置され、かつ、これらの配列方向に沿って第２電線ＷＥ２の中間接続部ＷＥａ２に対して間接的又は直接的に電気接続される第２回路接続部材１３の接点３１（１３ｃ）を備えている。
【００３５】
この第２電気接続構造３０は、その中間接続部ＷＥａ２と接点３１（１３ｃ）の電気的な接続状態を保たせるべく、その接点３１（１３ｃ）に向けて第２押圧力で第２電線ＷＥ２の中間接続部ＷＥａ２を間接的又は直接的に押し付ける第２押圧体３２を備えている（図１及び図３）。この例示では、後述するように、筐体４０に第２押圧体３２を設けている。よって、この第２押圧体３２については、後で詳述する。
【００３６】
このノイズフィルタ１は、フィルタ回路１０と第１電気接続構造２０と第２電気接続構造３０を収容する筐体４０を備える（図１から図３及び図６）。その筐体４０は、合成樹脂等の絶縁性材料で成形する。
【００３７】
筐体４０は、フィルタ回路１０と第１電気接続構造２０と第２電気接続構造３０と第１電線ＷＥ１の中間接続部ＷＥａ１と第２電線ＷＥ２の中間接続部ＷＥａ２とを収容する収容室４０ａを内方に有する（図２）。この筐体４０においては、第１電線ＷＥ１におけるそれぞれの端部側が内方の収容室４０ａから外方へと引き出され、かつ、第２電線ＷＥ２におけるそれぞれの端部側が内方の収容室４０ａから外方へと引き出される。この筐体４０は、複数の筐体部材を互いに嵌め合わせることによって、収容室４０ａを形成する。
【００３８】
この例示の筐体４０は、収容室４０ａが設けられた第１筐体部材としての収容箱４１と、第２筐体部材としてのカバー４２と、を備える（図１から図３及び図６）。
【００３９】
収容箱４１は、主壁体４１ａと、この主壁体４１ａの周縁部から立設させた複数の周壁体４１ｂ−４１ｅと、を有する（図２）。この例示の収容箱４１は、矩形の平板状の主壁体４１ａと、この主壁体４１ａの４つの辺部から各々同じ向きに垂設させた平板状の第１から第４の周壁体４１ｂ−４１ｅと、を有している。この収容箱４１では、第１周壁体４１ｂと第２周壁体４１ｃとが対向配置され、第３周壁体４１ｄと第４周壁体４１ｅとが対向配置されている。この収容箱４１においては、主壁体４１ａと第１から第４の周壁体４１ｂ−４１ｅとで囲まれた空間が収容室４０ａとなる。
【００４０】
主壁体４１ａには、収容室４０ａに収容されているフィルタ回路１０と第１電気接続構造２０と第２電気接続構造３０とを設置する（図２）。
【００４１】
例えば、この主壁体４１ａの内壁面４１ａ１には、第１回路接続部材１２の第１壁体１２ａと第２回路接続部材１３の第１壁体１３ａのそれぞれの平面を載せ置き、係合機構（図示略）で固定する。その係合機構とは、例えば、主壁体４１ａの内壁面４１ａ１の複数箇所に設けた爪部等の係止部で第１壁体１２ａ，１３ａを保持するロック機構のことである。この場合には、例えば、それぞれの第１壁体１２ａ，１３ａにノイズ低減素子１１を予め接続しておく。
【００４２】
また、第１回路接続部材１２と第２回路接続部材１３は、それぞれの第１壁体１２ａ，１３ａに対して収容箱４１を一体成形させることによって、収容箱４１の主壁体４１ａの内壁面４１ａ１側に設置してもよい。この場合には、それぞれの第１壁体１２ａ，１３ａにおけるノイズ低減素子１１との接続面と、それぞれの第２壁体１２ｂ，１３ｂと、を収容室４０ａ側に露出させておく。例えば、ノイズ低減素子１１は、その一体成形の後でそれぞれの第１壁体１２ａ，１３ａに接続してもよく、その一体成形の前にそれぞれの第１壁体１２ａ，１３ａに接続してもよい。
【００４３】
この収容箱４１は、第１から第４の周壁体４１ｂ−４１ｅの縁部から成る矩形の開口４１ｆを有している（図２）。
【００４４】
カバー４２は、その収容室４０ａの開口４１ｆを塞ぐべく用意されている。このカバー４２は、収容箱４１との組付けが完了している状態で開口４１ｆを塞ぐ閉塞壁体４２ａを有する（図２及び図３）。また、このカバー４２は、その閉塞壁体４２ａの周縁部から立設させた複数の周壁体４２ｂ−４２ｅを有する（図３）。この例示のカバー４２は、矩形の平板状の閉塞壁体４２ａと、この閉塞壁体４２ａの４つの辺部から各々同じ向きに垂設させた平板状の第１から第４の周壁体４２ｂ−４２ｅと、を有している。このカバー４２では、第１周壁体４２ｂと第２周壁体４２ｃとが対向配置され、第３周壁体４２ｄと第４周壁体４２ｅとが対向配置されている。
【００４５】
この例示の筐体４０においては、収容箱４１とカバー４２との組付けが完了しているときに、それぞれの第１周壁体４１ｂ，４２ｂ同士を対向配置させ、かつ、それぞれの第２周壁体４１ｃ，４２ｃ同士を対向配置させ、かつ、それぞれの第３周壁体４１ｄ，４２ｄ同士を対向配置させ、かつ、それぞれの第４周壁体４１ｅ，４２ｅ同士を対向配置させる。
【００４６】
この筐体４０においては、対向配置状態の第１周壁体４１ｂ，４２と対向配置状態の第２周壁体４１ｃ，４２ｃから第１電線ＷＥ１と第２電線ＷＥ２とを外方に引き出させる。そこで、それぞれの第１周壁体４１ｂ，４２ｂには、各々、第１電線ＷＥ１の一方の端部側を外方に引き出させる第１引出口４１ｂ１，４２ｂ１と、第２電線ＷＥ２の一方の端部側を外方に引き出させる第２引出口４１ｂ２，４２ｂ２と、が形成されている（図２及び図３）。それぞれの第１周壁体４１ｂ，４２ｂにおいては、第１引出口４１ｂ１，４２ｂ１同士を対向配置させ、かつ、第２引出口４１ｂ２，４２ｂ２同士を対向配置させる。また、それぞれの第２周壁体４１ｃ，４２ｃには、各々、第１電線ＷＥ１の他方の端部側を外方に引き出させる第３引出口４１ｃ１，４２ｃ１と、第２電線ＷＥ２の他方の端部側を外方に引き出させる第４引出口４１ｃ２，４２ｃ２と、が形成されている（図２及び図３）。それぞれの第２周壁体４１ｃ，４２ｃにおいては、第３引出口４１ｃ１，４２ｃ１同士を対向配置させ、かつ、第４引出口４１ｃ２，４２ｃ２同士を対向配置させる。
【００４７】
この筐体４０においては、第１電線ＷＥ１の中間接続部ＷＥａ１と第２電線ＷＥ２の中間接続部ＷＥａ２とが開口４１ｆから収容室４０ａに収容される。その第１電線ＷＥ１と第２電線ＷＥ２の収容に際して、収容箱４１においては、第１電線ＷＥ１が第１引出口４１ｂ１と第３引出口４１ｃ１とに挿入され、第２電線ＷＥ２が第２引出口４１ｂ２と第４引出口４１ｃ２とに挿入される。筐体４０においては、開口４１ｆを塞ぎ、かつ、第１電線ＷＥ１を第１引出口４２ｂ１と第３引出口４２ｃ１とに挿入させると共に、第２電線ＷＥ２を第２引出口４２ｂ２と第４引出口４２ｃ２とに挿入させるように、カバー４２を収容箱４１に組み付ける。例えば、このノイズフィルタ１は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ１の取り付けが完了する。
【００４８】
ここで、このノイズフィルタ１においては、第１電気接続構造２０の第１押圧体２２と第２電気接続構造３０の第２押圧体３２とを筐体４０に設ける。この例示では、その第１押圧体２２と第２押圧体３２をカバー４２に設けている。この例示のカバー４２は、収容室４０ａ側に第１押圧体２２と第２押圧体３２とを備えており、閉塞壁体４２ａの内壁面４２ａ１から収容室４０ａ側に第１押圧体２２と第２押圧体３２とを突出させている（図３）。
【００４９】
第１押圧体２２は、収容箱４１に対するカバー４２の組付け方向に向かうほどノイズ低減素子１１に近づき、かつ、カバー４２と収容箱４１とが組付け完了状態のときに第１電線ＷＥ１の中間接続部ＷＥａ１に対して間接的又は直接的に第１押圧力を作用させる傾斜面２２ａを有する（図６）。その傾斜面２２ａは、収容箱４１に対するカバー４２の組付けが進むに連れて中間接続部ＷＥａ１に対して間接的又は直接的に接触し、その組付けが更に進むことによって、中間接続部ＷＥａ１に対して間接的又は直接的に第１押圧力を作用させていく。第１押圧体２２は、カバー４２と収容箱４１とが組付け完了状態のときに、その傾斜面２２ａからの第１押圧力を中間接続部ＷＥａ１に対して間接的又は直接的に作用させたままにする。よって、この第１電気接続構造２０においては、例えば、車両走行時の振動等の外部入力が加わったとしても、中間接続部ＷＥａ１と接点２１（１２ｃ）の電気的な接続状態を保ち続けることができる。
【００５０】
この例示の第１押圧体２２は、収容箱４１に対するカバー４２の組付け方向に向けて垂設させた垂設面２２ｂをノイズ低減素子１１側に有しており、その垂設面２２ｂと傾斜面２２ａとを有する楔形状に形成している（図６）。
【００５１】
例えば、この第１押圧体２２は、第１押圧力を傾斜面２２ａから中間接続部ＷＥａ１に対して間接的又は直接的に作用させているときに変形不能な剛体として形成する。これにより、この第１押圧体２２は、傾斜面２２ａが中間接続部ＷＥａ１に対して間接的又は直接的に接触してからカバー４２と収容箱４１の組付けが完了するまでの間、中間接続部ＷＥａ１に対して間接的又は直接的に第１押圧力を作用させ続けることができる。
【００５２】
また、この第１押圧体２２は、第１押圧力を傾斜面２２ａから中間接続部ＷＥａ１に対して間接的又は直接的に作用させているときに撓ませることができるように形成してもよい。例えば、第１押圧体２２は、中間接続部ＷＥａ１側からノイズ低減素子１１側に向け且つノイズ低減素子１１側から中間接続部ＷＥａ１側に向けた撓みが可能な可撓性を有し、遅くともカバー４２と収容箱４１とが組付け完了状態となったときに、中間接続部ＷＥａ１とノイズ低減素子１１との間に挟持されて、中間接続部ＷＥａ１に対して傾斜面２２ａから間接的又は直接的に第１押圧力を作用させるものとして形成する。これにより、この第１押圧体２２は、遅くともカバー４２と収容箱４１とが組付け完了状態となったときに、中間接続部ＷＥａ１に対して間接的又は直接的に第１押圧力を作用させ続けることができる。
【００５３】
第２押圧体３２は、収容箱４１に対するカバー４２の組付け方向に向かうほどノイズ低減素子１１に近づき、かつ、カバー４２と収容箱４１とが組付け完了状態のときに第２電線ＷＥ２の中間接続部ＷＥａ２に対して間接的又は直接的に第２押圧力を作用させる傾斜面３２ａを有する（図６）。その傾斜面３２ａは、収容箱４１に対するカバー４２の組付けが進むに連れて中間接続部ＷＥａ２に対して間接的又は直接的に接触し、その組付けが更に進むことによって、中間接続部ＷＥａ２に対して間接的又は直接的に第２押圧力を作用させていく。第２押圧体３２は、カバー４２と収容箱４１とが組付け完了状態のときに、その傾斜面３２ａからの第２押圧力を中間接続部ＷＥａ２に対して間接的又は直接的に作用させたままにする。よって、この第２電気接続構造３０においては、例えば、車両走行時の振動等の外部入力が加わったとしても、中間接続部ＷＥａ２と接点３１（１３ｃ）の電気的な接続状態を保ち続けることができる。
【００５４】
この例示の第２押圧体３２は、収容箱４１に対するカバー４２の組付け方向に向けて垂設させた垂設面３２ｂをノイズ低減素子１１側に有しており、その垂設面３２ｂと傾斜面３２ａとを有する楔形状に形成している（図６）。
【００５５】
例えば、この第２押圧体３２は、第２押圧力を傾斜面３２ａから中間接続部ＷＥａ２に対して間接的又は直接的に作用させているときに変形不能な剛体として形成する。これにより、この第２押圧体３２は、傾斜面３２ａが中間接続部ＷＥａ２に対して間接的又は直接的に接触してからカバー４２と収容箱４１の組付けが完了するまでの間、中間接続部ＷＥａ２に対して間接的又は直接的に第２押圧力を作用させ続けることができる。
【００５６】
また、この第２押圧体３２は、第２押圧力を傾斜面３２ａから中間接続部ＷＥａ２に対して間接的又は直接的に作用させているときに撓ませることができるように形成してもよい。例えば、第２押圧体３２は、中間接続部ＷＥａ２側からノイズ低減素子１１側に向け且つノイズ低減素子１１側から中間接続部ＷＥａ２側に向けた撓みが可能な可撓性を有し、遅くともカバー４２と収容箱４１とが組付け完了状態となったときに、中間接続部ＷＥａ２とノイズ低減素子１１との間に挟持されて、中間接続部ＷＥａ２に対して傾斜面３２ａから間接的又は直接的に第２押圧力を作用させるものとして形成する。これにより、この第２押圧体３２は、遅くともカバー４２と収容箱４１とが組付け完了状態となったときに、中間接続部ＷＥａ２に対して間接的又は直接的に第２押圧力を作用させ続けることができる。
【００５７】
具体的に、この例示の第１電気接続構造２０は、第１電線ＷＥ１の中間接続部ＷＥａ１に対して物理的且つ電気的に接続されると共に、第１押圧体２２の第１押圧力で第１回路接続部材１２の接点２１（１２ｃ）に押し付けられる第１電線側接続体２３を備えている（図１から図３及び図６）。つまり、この例示の第１電気接続構造２０は、第１押圧力を第１押圧体２２の傾斜面２２ａから第１電線側接続体２３に作用させ、その第１電線側接続体２３を接点２１（１２ｃ）に押し付けて電気的に接続させる。これにより、この第１電気接続構造２０は、第１電線側接続体２３を介して第１押圧体２２の傾斜面２２ａからの第１押圧力を中間接続部ＷＥａ１に対して間接的に作用させ、第１電線側接続体２３を介して中間接続部ＷＥａ１を接点２１（１２ｃ）に対して間接的に電気接続させる。
【００５８】
この例示の第１電線側接続体２３は、金属等の導電性材料で成形されている。例えば、この第１電線側接続体２３は、矩形の金属板を第１電線ＷＥ１の中間接続部ＷＥａ１に対して巻き付けながら加締めていくことによって、その中間接続部ＷＥａ１に対して物理的且つ電気的に接続された筒状部材となる。この例示の第１電線側接続体２３は、円筒状に成形している（図２及び図３）。
【００５９】
また、この例示の第２電気接続構造３０は、第２電線ＷＥ２の中間接続部ＷＥａ２に対して物理的且つ電気的に接続されると共に、第２押圧体３２の第２押圧力で第２回路接続部材１３の接点３１（１３ｃ）に押し付けられる第２電線側接続体３３を備えている（図１から図３及び図６）。つまり、この例示の第２電気接続構造３０は、第２押圧力を第２押圧体３２の傾斜面３２ａから第２電線側接続体３３に作用させ、その第２電線側接続体３３を接点３１（１３ｃ）に押し付けて電気的に接続させる。これにより、この第２電気接続構造３０は、第２電線側接続体３３を介して第２押圧体３２の傾斜面３２ａからの第２押圧力を中間接続部ＷＥａ２に対して間接的に作用させ、第２電線側接続体３３を介して中間接続部ＷＥａ２を接点３１（１３ｃ）に対して間接的に電気接続させる。
【００６０】
この例示の第２電線側接続体３３は、金属等の導電性材料で成形されている。例えば、この第２電線側接続体３３は、矩形の金属板を第２電線ＷＥ２の中間接続部ＷＥａ２に対して巻き付けながら加締めていくことによって、その中間接続部ＷＥａ２に対して物理的且つ電気的に接続された筒状部材となる。この例示の第２電線側接続体３３は、円筒状に成形している（図２及び図３）。
【００６１】
ここで、第１電線ＷＥ１と第２電線ＷＥ２とが丸導体等の単線を芯線ＷＥａとして備えるものであるならば、第１電気接続構造２０と第２電気接続構造３０は、第１電線側接続体２３や第２電線側接続体３３を備えずともよい。また、第１電気接続構造２０と第２電気接続構造３０は、第１電線ＷＥ１と第２電線ＷＥ２とが複数本の素線の集合体を芯線ＷＥａとして備えるものであったとしても、それぞれの中間接続部ＷＥａ１，ＷＥａ２における複数本の素線を熱圧着等で溶着して一纏めに固着させることによって、第１電線側接続体２３や第２電線側接続体３３を備えないようにしてもよい。この場合の第１電気接続構造２０は、第１押圧力を第１押圧体２２の傾斜面２２ａから中間接続部ＷＥａ１に対して直接作用させ、その中間接続部ＷＥａ１を接点２１（１２ｃ）に押し付けて直接的な電気接続を行う。また、この場合の第２電気接続構造３０は、第２押圧力を第２押圧体３２の傾斜面３２ａから中間接続部ＷＥａ２に対して直接作用させ、その中間接続部ＷＥａ２を接点３１（１３ｃ）に押し付けて直接的な電気接続を行う。
【００６２】
以上示した本実施形態のノイズフィルタ１は、中間電線の影響を受けることのないものとなっている。つまり、従来のノイズフィルタは、前述したように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、本実施形態のノイズフィルタ１においては、ワイヤハーネスＷＨの幹線ＷＴに束ねられている第１電線ＷＥ１の中間接続部ＷＥａ１と第２電線ＷＥ２の中間接続部ＷＥａ２との間にフィルタ回路１０を介在させ、そのフィルタ回路１０をそれぞれの中間接続部ＷＥａ１，ＷＥａ２に対して電気的に接続している。よって、このノイズフィルタ１は、従来のような幹線からの分岐電線（中間電線）の影響を考慮に入れたフィルタ回路特性の調整が不要になる。即ち、このノイズフィルタ１は、中間電線の影響を受けることのないものとなっている。
【００６３】
更に、本実施形態のノイズフィルタ１は、ノイズ低減素子１１と第１回路接続部材１２の接点２１（１２ｃ）と第２回路接続部材１３の接点３１（１３ｃ）と第１電線ＷＥ１の中間接続部ＷＥａ１と第２電線ＷＥ２の中間接続部ＷＥａ２とを一列に並べて配置しているので、その配列方向とそれぞれの中間接続部ＷＥａ１，ＷＥａ２の軸線方向とに対する直交方向で、これら配列部品の積層を回避することができる。従って、本実施形態のノイズフィルタ１は、その直交方向の体格の小型化を図ることができる。
【００６４】
また更に、本実施形態のノイズフィルタ１においては、第１電気接続構造２０の第１押圧体２２と第２電気接続構造３０の第２押圧体３２とを各々楔形状に形成している。このため、このノイズフィルタ１においては、収容箱４１とカバー４２とを組み付ける際に、第１押圧体２２が先端の鋭角なエッジ側からノイズ低減素子１１と中間接続部ＷＥａ１（又は第１電線側接続体２３）との間に挿入されていき、かつ、第２押圧体３２が先端の鋭角なエッジ側からノイズ低減素子１１と中間接続部ＷＥａ２（又は第２電線側接続体３３）との間に挿入されていく。これ故に、第１押圧体２２は、先端側からの挿入が始まったときにノイズ低減素子１１と中間接続部ＷＥａ１（又は第１電線側接続体２３）とに触れさせず、その挿入が或る程度（例えば半分以上）進んでから傾斜面２２ａを中間接続部ＷＥａ１（又は第１電線側接続体２３）に触れさせるように形成すればよい。つまり、第１押圧体２２は、先端側からの挿入が始まったときに、中間接続部ＷＥａ１（又は第１電線側接続体２３）からの反力を受けないように形成すればよい。これと同じように、第２押圧体３２は、先端側からの挿入が始まったときにノイズ低減素子１１と中間接続部ＷＥａ２（又は第２電線側接続体３３）とに触れさせず、その挿入が或る程度（例えば半分以上）進んでから傾斜面３２ａを中間接続部ＷＥａ２（又は第２電線側接続体３３）に触れさせるように形成して、先端側からの挿入が始まったときに、中間接続部ＷＥａ２（又は第２電線側接続体３３）からの反力を受けないように形成すればよい。本実施形態のノイズフィルタ１は、そのような形状に第１押圧体２２と第２押圧体３２とを形成することによって、収容箱４１とカバー４２の組付けを始める際の相互間の位置決めが容易になり、かつ、収容箱４１とカバー４２の組付けが始まったときに無用な力が働かないので、収容箱４１とカバー４２の組付け作業性を向上させることができる。
【００６５】
また更に、本実施形態のノイズフィルタ１は、一方の端部を接地させる第２電線ＷＥ２の中間接続部ＷＥａ２に対してフィルタ回路１０を電気的に接続させるので、例えば、幹線ＷＴの周囲に接地可能な導電体が存在しておらずとも、また、自らの設置対象物が合成樹脂等の絶縁性材料で成形されていたとしても、容易にアースを取ることができる。つまり、従来のノイズフィルタは、導電性の設置対象物に取り付けた際に当該設置対象物にアース端子を接続することによって、その設置対象物を介してアースを取っている。よって、従来のノイズフィルタにおいては、アース端子と設置対象物との固定作業を容易にするために、アース端子を筐体から食み出させている。しかしながら、このノイズフィルタ１は、そのようなアース端子を備えずとも、アースを取ることができる。従って、このノイズフィルタ１は、体格の小型化や軽量化を図ることができる。
【００６６】
また更に、本実施形態のノイズフィルタ１は、第１回路接続部材１２の接点２１（１２ｃ）と第１押圧体２２とで第１電線ＷＥ１の中間接続部ＷＥａ１を間接的又は直接的に挟み込み、かつ、第２回路接続部材１３の接点３１（１３ｃ）と第２押圧体３２とで第２電線ＷＥ２の中間接続部ＷＥａ２を間接的又は直接的に挟み込んでいる。よって、このノイズフィルタ１は、電気的な接続構造が従来のような雌雄の端子部の嵌合構造となっているものと比較して、第１電気接続構造２０と第２電気接続構造３０の小型化が可能になる。従って、このノイズフィルタ１は、体格の小型化を図ることができる。また、そのような従来の接続構造は形状如何で原価の高騰を招く虞があるが、このノイズフィルタ１は、そのような簡便な接続構造であるが故に、原価の高騰を抑えることができる。
【００６７】
また更に、本実施形態のノイズフィルタ１は、そのような接続構造の第１電気接続構造２０と第２電気接続構造３０とを採用し、かつ、それぞれの接点２１（１２ｃ），３１（１３ｃ）に弾性を持たせることによって、それぞれの構成部品の寸法ばらつきを吸収し、それぞれの中間接続部ＷＥａ１，ＷＥａ２に安定した接触荷重を作用させることができる。また、このノイズフィルタ１は、第１押圧体２２と第２押圧体３２とに可撓性を持たせることによって、それぞれの接点２１（１２ｃ），３１（１３ｃ）の弾性と相俟って、それぞれの構成部品の寸法ばらつきがより大きくなったとしても、その寸法ばらつきを吸収し、それぞれの中間接続部ＷＥａ１，ＷＥａ２に安定した接触荷重を作用させることができる。このような特性によって、このノイズフィルタ１は、第１電線ＷＥ１及び第２電線ＷＥ２とフィルタ回路１０との間の通電品質の向上を図ることができる。
【００６８】
また更に、このノイズフィルタ１は、それぞれの接点２１（１２ｃ），３１（１３ｃ）に弾性を持たせることによって、その弾性域の範囲内で、様々な外径の電線（第１電線ＷＥ１、第２電線ＷＥ２）に対して電気的な接続を図ることができる。また、このノイズフィルタ１は、第１押圧体２２と第２押圧体３２とに可撓性を持たせた場合、これらも含めた弾性域の範囲内で、様々な外径の電線（第１電線ＷＥ１、第２電線ＷＥ２）に対して電気的な接続を図ることができる。つまり、このノイズフィルタ１は、様々な外径の電線（第１電線ＷＥ１、第２電線ＷＥ２）への対応が可能になり、汎用性を高めることができる。
【００６９】
また、本実施形態のワイヤハーネスＷＨは、そのようなノイズフィルタ１を具備するものであり、このノイズフィルタ１が得られる効果を奏することができる。
【符号の説明】
【００７０】
１  ノイズフィルタ
１０  フィルタ回路
１１  ノイズ低減素子
１２  第１回路接続部材
１２ｃ  接点
１３  第２回路接続部材
１３ｃ  接点
２０  第１電気接続構造
２１  接点
２２  第１押圧体
２２ａ  傾斜面
２３  第１電線側接続体
３０  第２電気接続構造
３１  接点
３２  第２押圧体
３２ａ  傾斜面
３３  第２電線側接続体
４０  筐体
４０ａ  収容室
４１  収容箱
４１ｆ  開口
４２  カバー
４２ａ  閉塞壁体
４２ａ１  内壁面
ＷＥ１  第１電線
ＷＥａ１  中間接続部
ＷＥ２  第２電線
ＷＥａ２  中間接続部
ＷＥａ  芯線
ＷＨ  ワイヤハーネス
ＷＴ  幹線
【図１】
2020061638.tif 000003
【図２】
2020061638.tif 000004
【図３】
2020061638.tif 000005
【図４】
2020061638.tif 000006
【図５】
2020061638.tif 000007
【図６】
2020061638.tif 000008
【図７】
2020061638.tif 000009
【図８】
2020061638.tif 000010